(57)【要約】【課題】精算機の取り扱いに慣れたユーザであっても精算機の取り扱いに不慣れなユーザであっても、紙幣を精算機に快適に投入することができ、かつ紙幣を精算機から快適に取り出すことができるようにする。【解決手段】精算機１０は、開口１０２、案内部材１１０及びシャッタ１６０を備えている。案内部材１１０は、開口１０２の内側に設けられている。シャッタ１６０は、開口１０２を閉じるために設けられている。案内部材１１０には、紙幣を置くことが可能である。シャッタ１６０が開いた場合において、案内部材１１０は、第１モードにおいて、第１距離Ｄ１だけ精算機１０の前方に向けて移動する。シャッタ１６０が開いた場合において、案内部材１１０は、第２モードにおいて、第２距離Ｄ２だけ精算機１０の前方に向けて移動する。第２距離Ｄ２は、第１距離Ｄ１よりも短くなっている（Ｄ２＜Ｄ１）。【選択図】図２
2018081475.tif 000002
【特許請求の範囲】
【請求項１】
精算機であって、
開口と、
前記開口の内側に設けられた案内部材と、
を備え、
前記案内部材には、紙幣を置くことが可能であり、
前記案内部材は、
該精算機の動作モードに応じて前記精算機の前方に向けて移動する精算機。
【請求項２】
請求項１に記載の精算機において、
前記案内部材の移動量が前記動作モードにより異なる精算機。
【請求項３】
請求項１又は２に記載の精算機において、
前記動作モードが第１モードである場合に、前記案内部材は、前記案内部材の少なくとも一部が前記開口から突出するように前記精算機の前方に向けて移動可能であり、
前記動作モードが第２モードである場合に、前記案内部材は、前記精算機の前方に向けて移動しない精算機。
【請求項４】
請求項１乃至３に記載の精算機において、
前記精算機の前記動作モードがいずれの動作モードであるかを示す信号を前記精算機の外部に出力する出力部を備える精算機。
【請求項５】
請求項４に記載の精算機において、
前記精算機を一の動作モードから他の動作モードに切り替えるための信号を前記精算機の外部から入力するための入力部を備える精算機。
【発明の詳細な説明】
【技術分野】
【０００１】
本発明は、精算機に関する。
【背景技術】
【０００２】
紙幣を自動的に受け付け、又は自動的に払い出すために様々な装置が開発されている。このような装置の例には、現金自動預け払い機及び精算機が含まれる。
【０００３】
特許文献１には、現金自動預け払い機の一例について記載されている。この現金自動預け払い機は、開口及びトレーを備えている。トレーは、開口の内側に設けられており、紙幣はトレー上に載置可能になっている。トレーは、現金自動預け払い機の前方に向けて移動可能になっている。このため、トレー上の紙幣の一部が開口から突出することができるようになっている。
【０００４】
特許文献２にも、現金自動預け払い機の一例について記載されている。この現金自動預け払い機は、開口及びトレーを備えている。トレーは、開口の内側に設けられており、紙幣はトレー上に載置可能になっている。トレーは、移動可能になっており、具体的には、トレー上の紙幣の一部が開口から突出するように移動可能になっている。
【０００５】
特許文献３には、精算機の一例について記載されている。この精算機は、開口及びステージを備えている。ステージは、開口の内側に設けられており、紙幣はステージ上に載置可能になっている。ステージは、精算機の前方に向けて移動可能になっている。
【先行技術文献】
【特許文献】
【０００６】
【特許文献１】特開２００２−１７５５５４号公報
【特許文献２】特開２００９−０８６８０１号公報
【特許文献３】特開２０１５−１３２９３５号公報
【発明の概要】
【発明が解決しようとする課題】
【０００７】
精算機は、様々なユーザに用いられ、例えば小売店では、店の店員及び店の顧客の双方に用いられることがある。精算機が紙幣を受け取り、又は紙幣を払い出す場合、精算機の取り扱いに不慣れなユーザ（例えば、店の顧客）は、精算機のいずれの位置に紙幣を投入し、又は精算機のいずれの位置から紙幣が払い出されるかを直感的に判断することができないことがある。このようなユーザにとっては、精算機のいずれの位置に紙幣を投入し、又は精算機のいずれの位置から紙幣が払い出されるかを直感的に判断することができることが好ましい。これに対して、精算機の取り扱いに慣れたユーザ（例えば、店の店員）は、精算機のいずれの位置に紙幣を投入し、又は紙幣のいずれの位置から紙幣が払い出されるかをよく把握している。例えば店員にとっては、紙幣を精算機に投入することに要する時間及び紙幣を精算機から取り出すことに要する時間、すなわち精算処理や紙幣の補充・回収に要する時間ができる限り短くなることが好ましい。
【０００８】
本発明の目的は、精算機の取り扱いに慣れたユーザ及び精算機の取り扱いに不慣れなユーザの双方にとって効率よく使用することのできる精算機を提供することにある。
【課題を解決するための手段】
【０００９】
本発明によれば、
精算機であって、
開口と、
前記開口の内側に設けられた案内部材と、
を備え、
前記案内部材には、紙幣を置くことが可能であり、
前記案内部材は、
該精算機の動作モードに応じて前記精算機の前方に向けて移動する精算機が提供される。
【発明の効果】
【００１０】
本発明によれば、精算機の取り扱いに慣れたユーザであっても精算機の取り扱いに不慣れなユーザであっても、紙幣を精算機に快適に投入することができ、かつ紙幣を精算機から快適に取り出すことができるようになる。
【図面の簡単な説明】
【００１１】
【図１】第１の実施形態に係る精算機を示す図である。
【図２】第２の実施形態に係る精算機を示す図である。
【図３】図２に示した精算機の第１モードにおける動作の一例を説明するための図である。
【図４】図２に示した精算機の第１モードにおける動作の一例を説明するための図である。
【図５】図２に示した精算機の第２モードにおける動作の一例を説明するための図である。
【図６】図２に示した精算機の第２モードにおける動作の一例を説明するための図である。
【図７】図３及び図４を用いて説明した第１モードにおける動作の第１例を説明するための図である。
【図８】図３及び図４を用いて説明した第１モードにおける動作の第１例を説明するための図である。
【図９】図３及び図４を用いて説明した第１モードにおける動作の第２例を説明するための図である。
【図１０】図３及び図４を用いて説明した第１モードにおける動作の第２例を説明するための図である。
【図１１】図６の変形例を示す図である。
【図１２】図４の変形例を示す図である。
【図１３】第３の実施形態に係る精算機を示す図である。
【図１４】図１３に示した出力部の第１例を説明するための図である。
【図１５】図１４に示した精算機の動作を説明するための図である。
【図１６】図１４に示した精算機の動作を説明するための図である。
【図１７】図１３に示した出力部の第２例を説明するための図である。
【図１８】第４の実施形態に係る精算機を示す図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
（第１の実施形態）
図１は、第１の実施形態に係る精算機１０を示す図である。精算機１０は、筐体１００、開口１０２、案内部材１１０及び制御部２１０を備えている。開口１０２は、図１に示す例では筐体１００の側面に形成されている。案内部材１１０は、開口１０２の内側に設けられている。案内部材１１０には、紙幣を置くことが可能である。特に図１に示す例では、案内部材１１０は、ステージとして機能しており、案内部材１１０上に紙幣を載置可能である。案内部材１１０は、精算機１０の動作モードに応じて精算機１０の前方に向けて移動可能である。案内部材１１０の移動距離は、制御部２１０によって制御されている。精算機１０は、セミセルフＰｏｉｎｔ  ｏｆ  Ｓａｌｅｓ（ＰＯＳ）システム又はセルフＰＯＳシステムにおいて用いられる精算機である。精算機１０の動作モードには、例えば、店の顧客が精算機１０で商品の精算処理を行う際のモード、店の店員が精算機１０に紙幣を補充したり、精算機１０から紙幣を回収したりする際のモード、店員が精算機１０で商品の精算処理を行う際のモード等がある。
【００１４】
（第２の実施形態）
図２は、第２の実施形態に係る精算機１０を示す図である。図３及び図４は、図２に示した精算機１０の第１モードにおける動作の一例を説明するための図である。図５及び図６は、図２に示した精算機１０の第２モードにおける動作の一例を説明するための図である。
【００１５】
精算機１０は、筐体１００、開口１０２、案内部材１１０、シャッタ１６０及び制御部２１０を備えている。開口１０２は、筐体１００の表面、特に図２に示す例では筐体１００の側面に形成されている。案内部材１１０は、開口１０２の内側に設けられている。案内部材１１０には、紙幣を置くことが可能である。特に図２に示す例では、案内部材１１０は、ステージとして機能しており、案内部材１１０上に紙幣を載置可能である。シャッタ１６０は、開口１０２を閉じるために設けられている。シャッタ１６０が開いた場合、案内部材１１０は、精算機１０の前方に向けて移動可能である。案内部材１１０の移動距離は、制御部２１０によって制御されている。精算機１０は、セミセルフＰｏｉｎｔ  ｏｆ  Ｓａｌｅｓ（ＰＯＳ）システム又はセルフＰＯＳシステムにおいて用いられる精算機である。図３及び図４に示すように、シャッタ１６０が開いた場合において、案内部材１１０は、第１モードにおいて、第１距離Ｄ１だけ精算機１０の前方に向けて移動する。第１モードは、例えば店の顧客が精算機１０で商品の精算処理を行う際のモードである。図５及び図６に示すように、シャッタ１６０が開いた場合において、案内部材１１０は、第２モードにおいて、第２距離Ｄ２だけ精算機１０の前方に向けて移動する。第２距離Ｄ２は、第１距離Ｄ１よりも短くなっている（Ｄ２＜Ｄ１）。第２モードは、例えば店の店員が精算機１０に紙幣を補充したり、精算機１０から紙幣を回収したりする際のモードである。なお、店員が精算機１０で商品の精算処理を行う際のモードを第２モードとしてもよい。
【００１６】
上記構成によれば、精算機の取り扱いに不慣れなユーザ（例えば、店の顧客）であっても、紙幣を精算機１０に快適に投入することができ、かつ紙幣を精算機１０から快適に取り出すことができる。具体的には、このようなユーザが精算機１０を用いる場合、精算機１０は、第１モードで動作させることができる。この場合、案内部材１１０は、大きな距離、特に図４に示す例では第１距離Ｄ１だけ精算機１０の前方に移動する。このため、案内部材１１０は、精算機１０のいずれの位置に紙幣を投入し、又は精算機１０のいずれの位置から紙幣が払い出されるかを示すマークとして機能することができる。このため、ユーザは、精算機１０のいずれの位置に紙幣を投入し、又は精算機１０のいずれの位置から紙幣が払い出されるかを容易に判断することができる。このようにして、精算機の取り扱いに不慣れなユーザ（例えば、店の顧客）であっても、紙幣を精算機１０に快適に投入することができ、かつ紙幣を精算機１０から快適に取り出すことができる。
【００１７】
上記構成によれば、精算機の取り扱いに慣れたユーザ（例えば、店の店員）であっても、紙幣を精算機１０に快適に投入することができ、かつ紙幣を精算機１０から快適に取り出すことができる。具体的には、このようなユーザが精算機１０を用いる場合、精算機１０は、第２モードで動作させることができる。この場合、案内部材１１０は、小さな距離、特に図６に示す例では第２距離Ｄ２だけ精算機１０の前方に移動する。このため、案内部材１１０が移動することに要する時間を短くすることができる。このため、紙幣を精算機１０に投入することに要する時間及び紙幣を精算機１０から取り出すことに要する時間を短くすることができる。このようにして、精算機の取り扱いに慣れたユーザ（例えば、店の店員）であっても、紙幣を精算機１０に快適に投入することができ、かつ紙幣を精算機１０から快適に取り出すことができる。
【００１８】
なお、シャッタ１６０が開いた場合において、案内部材１１０は、第２モードにおいて、移動しなくてもよく、言い換えると、第２距離Ｄ２はゼロであってもよい。この場合、案内部材１１０の移動に要する時間がゼロになる。このため、紙幣を精算機１０に投入することに要する時間及び紙幣を精算機１０から取り出すことに要する時間を短くすることができる。
【００１９】
図４に示す例では、第１モードにおいて、案内部材１１０は、案内部材１１０の一部が開口１０２から突出するように精算機１０の前方に向けて移動可能になっている。他の例において、案内部材１１０は、案内部材１１０の全体が開口１０２から突出するように精算機１０の前方に向けて移動可能になっていてもよい。言い換えると、案内部材１１０は、案内部材１１０の少なくとも一部が開口１０２から突出するように精算機１０の前方に向けて移動可能になっている。
【００２０】
上記構成によれば、精算機１０のユーザ、特に精算機の取り扱いに不慣れなユーザ（例えば、店の顧客）が紙幣を精算機１０に快適に投入することができる。具体的には、上述したように、案内部材１１０の少なくとも一部は、開口１０２から突出可能となっている。このため、案内部材１１０は、精算機１０のいずれの位置に紙幣を投入すべきかを示すマークとしてよく目立つようになる。このため、精算機を取り扱うことに不慣れなユーザ（例えば、店の顧客）であっても、紙幣を精算機１０のいずれの位置に投入すべきかを容易に判断することができる。このようにして、精算機１０のユーザ、特に精算機の取り扱いに不慣れなユーザ（例えば、店の顧客）が紙幣を精算機１０に快適に投入することができる。
【００２１】
上記構成によれば、精算機１０のユーザ、特に精算機の取り扱いに不慣れなユーザ（例えば、店の顧客）が紙幣を精算機１０から快適に取り出すことができる。具体的には、上述したように、案内部材１１０の少なくとも一部は、開口１０２から突出可能となっている。このため、案内部材１１０は、精算機１０のいずれの位置から紙幣を取り出すべきかを示すマークとしてよく目立つようになる。このため、精算機を取り扱うことに不慣れなユーザ（例えば、店の顧客）であっても、紙幣を精算機１０のいずれの位置から取り出すべきかを容易に判断することができる。このようにして、精算機１０のユーザ、特に精算機の取り扱いに不慣れなユーザ（例えば、店の顧客）が紙幣を精算機１０から快適に取り出すことができる。
【００２２】
上記構成によれば、精算機１０のユーザ、特に精算機の取り扱いに不慣れなユーザ（例えば、店の顧客）が精算機１０の内側の機構に触れることを防止することができる。具体的には、上述したように、案内部材１１０の少なくとも一部は、開口１０２から突出可能となっている。このため、精算機１０のユーザは、案内部材１１０に紙幣を置く際又は案内部材１１０から紙幣を取る際に開口１０２よりも奥に触れる必要がない。このようにして、精算機１０のユーザ、特に精算機の取り扱いに不慣れなユーザ（例えば、店の顧客）が精算機１０の内側の機構に触れることを防止することができる。
【００２３】
なお、図６に示す例では、第２モードにおいても、案内部材１１０は、案内部材１１０の一部が開口１０２から突出するように精算機１０の前方に向けて移動可能になっている。このため、第２モードにおいても、上述したように、精算機１０のユーザは、紙幣を精算機１０に快適に投入することができ、紙幣を精算機１０から快適に取り出すことができるとともに、精算機１０のユーザが精算機１０の内側の機構に触れることを防止することができる。
【００２４】
図７及び図８は、図３及び図４を用いて説明した第１モードにおける動作の第１例を説明するための図である。図７及び図８を用いて説明する第１例では、複数の紙幣Ｂが精算機１０に投入されている。
【００２５】
まず、図７に示すように、案内部材１１０の一部が開口１０２から突出している。次いで、精算機１０のユーザが複数の紙幣Ｂを案内部材１１０に置く。案内部材１１０の一部が開口１０２から突出しているため、上述したように、精算機１０のユーザは、複数の紙幣Ｂを精算機１０に快適に投入することができる。
【００２６】
次いで、図８に示すように、案内部材１１０は、精算機１０の内部に向けて移動する。これにより、案内部材１１０上の複数の紙幣Ｂは、案内部材１１０とともに精算機１０の内部に向けて移動する。次いで、シャッタ１６０が閉じる。このようにして、複数の紙幣Ｂが精算機１０に投入される。
【００２７】
図９及び図１０は、図３及び図４を用いて説明した第１モードにおける動作の第２例を説明するための図である。図９及び図１０を用いて説明する第２例では、精算機１０から複数の紙幣Ｂが払い出されている。
【００２８】
まず、図９に示すように、複数の紙幣Ｂが案内部材１１０に置かれている。次いで、シャッタ１６０が開く。
【００２９】
次いで、図１０に示すように、案内部材１１０は、精算機１０の前方に向けて移動する。これにより、案内部材１１０上の複数の紙幣Ｂは、案内部材１１０とともに精算機１０の前方に向けて移動する。さらに、案内部材１１０の一部は、開口１０２から突出し、複数の紙幣Ｂのそれぞれの一部も開口１０２から突出する。このため、上述したように、精算機１０のユーザは、複数の紙幣Ｂを精算機１０から快適に取り出すことができる。
【００３０】
図１１は、図６の変形例を示す図である。第２モードにおいて、案内部材１１０は、案内部材１１０のいずれの部分も開口１０２から突出しないように精算機１０の前方に向けて移動可能であってもよい。案内部材１１０は、第２距離Ｄ２だけ精算機１０の前方に向けて移動しており、第２距離Ｄ２は、第１モードの第１距離Ｄ１（例えば、図４）よりも短くなっている。このため、上述したように、精算機の取り扱いに不慣れなユーザ（例えば、店の顧客）であっても、精算機の取り扱いに慣れたユーザ（例えば、店の店員）であっても、紙幣を精算機１０に快適に投入することができ、かつ紙幣を精算機１０から快適に取り出すことができる。
【００３１】
図１２は、図４の変形例を示す図である。第１モードにおいて、案内部材１１０は、案内部材１１０のいずれの部分も開口１０２から突出しないように精算機１０の前方に向けて移動可能であってもよい。案内部材１１０は、第１距離Ｄ２だけ精算機１０の前方に向けて移動しており、第１距離Ｄ１は、第２モードの第２距離Ｄ２（例えば、図１１）よりも長くなっている。このため、上述したように、精算機の取り扱いに不慣れなユーザ（例えば、店の顧客）であっても、精算機の取り扱いに慣れたユーザ（例えば、店の店員）であっても、紙幣を精算機１０に快適に投入することができ、かつ紙幣を精算機１０から快適に取り出すことができる。
【００３２】
以上、本実施形態によれば、精算機の取り扱いに不慣れなユーザ（例えば、店の顧客）であっても、精算機の取り扱いに慣れたユーザ（例えば、店の店員）であっても、紙幣を精算機１０に快適に投入することができ、かつ紙幣を精算機１０から快適に取り出すことができる。
【００３３】
（第３の実施形態）
図１３は、第３の実施形態に係る精算機１０を示す図であり、第２の実施形態の図２に対応する。本実施形態に係る精算機１０は、以下の点を除いて、第２の実施形態に係る精算機１０と同様である。
【００３４】
精算機１０は、出力部２２０を備えている。出力部２２０は、精算機１０が第１モード（例えば、図３及び図４）及び第２モード（例えば、図５及び図６）のいずれにあるかを示す信号を精算機１０の外部に出力する。出力部２２０から出力される信号は、例えば、光、音又は振動である。
【００３５】
上記構成によれば、精算機１０のユーザは、出力部２２０から出力される信号に基づいて、精算機１０が第１モード及び第２モードのいずれにあるかを判断することができる。
【００３６】
精算機１０は、入力部２３０を備えている。入力部２３０は、精算機１０第１モード（例えば、図３及び図４）及び第２モード（例えば、図５及び図６）の一方から他方に切り替えるための信号を精算機１０の外部から入力するために用いられる。一例において、入力部２３０は、スイッチボタン又はタッチスクリーンである。
【００３７】
上記構成によれば、精算機１０のユーザは、入力部２３０を用いて精算機１０のモードを切り替えることができる。第１例において、精算機の取り扱いに不慣れなユーザ（例えば、店の顧客）が精算機１０を使用することが予定されているにもかかわらず精算機１０が第２モード（例えば、図５及び図６）にあるとき、精算機１０の別のユーザ（例えば、店の店員）は、出力部２２０から出力される信号に基づいて精算機１０のモードを判断し、入力部２３０を用いて精算機１０を第１モード（例えば、図３及び図４）に切り替えることができる。第２例において、精算機の取り扱いに慣れたユーザ（例えば、店の店員）が精算機１０を使用することが予定されているにもかかわらず精算機１０が第１モード（例えば、図３及び図４）にあるときは、精算機１０のこのユーザは、出力部２２０から出力される信号に基づいて精算機１０のモードを判断し、入力部２３０を用いて精算機１０を第２モード（例えば、図５及び図６）に切り替えることができる。
【００３８】
図１４は、図１３に示した出力部２２０の第１例を説明するための図である。出力部２２０は、発光部２２２及び発光部２２４を有している。発光部２２２及び発光部２２４は、互いに異なる位置に設けられている。発光部２２２及び発光部２２４のそれぞれは、一例において、ＬＥＤ（Ｌｉｇｈｔ−Ｅｍｉｔｔｉｎｇ  Ｄｉｏｄｅ）である。
【００３９】
図１５及び図１６は、図１４に示した精算機１０の動作を説明するための図である。精算機１０のユーザは、発光部２２２及び発光部２２４のいずれが光を発しているかに基づいて、精算機１０のモードを判断することができる。
【００４０】
図１５に示すように、第１モードでは、発光部２２２は光を発し、発光部２２４は光を発しない。このため、精算機１０のユーザは、精算機１０が第１モードにあることを判断することができる。
【００４１】
図１６に示すように、第２モードでは、発光部２２４は光を発し、発光部２２２は光を発しない。このため、精算機１０のユーザは、精算機１０が第２モードにあることを判断することができる。
【００４２】
図１７は、図１３に示した出力部２２０の第２例を説明するための図である。出力部２２０は、発光部２２６を有している。発光部２２６は、一例において、ＬＥＤ（Ｌｉｇｈｔ−Ｅｍｉｔｔｉｎｇ  Ｄｉｏｄｅ）である。
【００４３】
第１例において、精算機１０のユーザは、発光部２２６が発する光の強度に基づいて、精算機１０のモードを判断することができる。一例において、精算機１０のユーザは、発光部２２６が第１の強度の光を発している場合、精算機１０が第１モードにあることを判断することができ、発光部２２６が第１の強度よりも弱い第２の強度の光を発し、又は光を発していない場合、精算機１０が第２モードにあることを判断することができる。
【００４４】
第２例において、精算機１０のユーザは、発光部２２６が発する光の色に基づいて、精算機１０のモードを判断することができる。一例において、精算機１０のユーザは、発光部２２６が発する色が第１の色である場合、精算機１０が第１モードにあることを判断することができ、発光部２２６が発する色が第２の色である場合、精算機１０が第２モードにあることを判断することができる。
【００４５】
（第４の実施形態）
図１８は、第４の実施形態に係る精算機１０を示す図である。精算機１０は、筐体１００、開口１０２、案内部材１１０、搬送路１２０、複数の収納庫１３０、識別部１４２、識別部１４４、排出口１５０及びシャッタ１６０を備えている。本実施形態に係る開口１０２、案内部材１１０及びシャッタ１６０は、第１の実施形態〜第３の実施形態のいずれかに係る開口１０２、案内部材１１０及びシャッタ１６０とそれぞれ同様である。
【００４６】
搬送路１２０は、開口１０２に投入された紙幣を収納庫１３０に搬送し、かつ収納庫１３０に収納された紙幣を開口１０２に搬送する。一例において、搬送路１２０は、搬送ローラ（不図示）を用いて紙幣を搬送する。
【００４７】
複数の収納庫１３０は、互いに異なる種類の紙幣を収納可能である。具体的には、図１８に示す精算機１０は、日本国で使用されることが予定されており、３つの収納庫１３０、すなわち、１０００円札用の収納庫１３０、５０００円札用の収納庫１３０及び１００００円札用の収納庫１３０を備えている。３つの収納庫１３０は、開口１０２側から、１００００円札用の収納庫１３０、５０００円札用の収納庫１３０及び１０００円札用の収納庫１３０の順で並んでいる。１０００円札用の収納庫１３０の容積は、３つの収納庫１３０の容積の中で最大となっている。なお、収納庫１３０の数及び各収納庫に収納される紙幣の種類はこれに限られない。
【００４８】
識別部１４２は、開口１０２に投入された紙幣を識別する。精算機１０は、識別部１４２の識別結果に基づいて、開口１０２に投入された紙幣の種類及び開口１０２に投入された紙幣の枚数を判断することができる。
【００４９】
識別部１４４は、複数の収納庫１３０から引き出された紙幣を識別する。精算機１０は、識別部１４４の識別結果に基づいて、複数の収納庫１３０から引き出された紙幣の種類及び複数の収納庫１３０から引き出された紙幣の枚数を判断することができる。なお、図１８に示す例では、識別部１４４は、搬送路１２０に沿って識別部１４２よりも奥にある。
【００５０】
排出口１５０は、不適当な紙幣（例えば、偽札又は著しく折れ曲がった紙幣）を排出するために用いられる。具体的には、開口１０２に不適当な紙幣が投入された場合、精算機１０は、識別部１４２の識別結果に基づいて、開口１０２に投入された紙幣が不適当な紙幣であると判断することができる。この場合、精算機１０は、収納庫１３０にこの紙幣を搬送することなく、排出口１５０からこの紙幣を排出する。
【００５１】
第１乃至第４の実施形態では、店の顧客が精算機１０を使用する際の動作モードを第１モードとし、店の店員が精算機１０を使用する際の動作モードを第２モードとした例を説明した。しかし、動作モードの設定及び数はこれに限られない。顧客が精算機１０を使用する際のモードとして、複数の動作モードを設定することもできる。例えば、第１の店舗で顧客が精算機１０を使用する際の動作モードを第１モードとし、第１の店舗とは異なる第２の店舗で顧客が精算機１０を使用する際の動作モードを第２モード、第１及び第２の店舗とは異なる第３の店舗で顧客が精算機１０を使用する際の動作モードを第３モードとすることができる。これにより、店舗ごとに、案内部材の移動量を変えることができる。例えば、第１の店舗には精算機１０の操作に不慣れな客（例えば年齢の高い客）が多く、第２及び第３の店舗では精算機１０の操作に慣れている客が多い場合に、第１モードにおける案内部材の移動量を第２及び第３モードにおける案内部材の移動量よりも大きくすることができる。これにより、第１の店舗では、精算機１０の操作に不慣れな客が、紙幣の挿入箇所又は紙幣の払い出し箇所を直感的に判断することができ、第２及び第３の店舗では、精算機１０の操作に慣れている客が、紙幣の挿入及び取り出しに時間をかけなくて済む。このように、精算機の操作に慣れたユーザ及び精算機の操作に不慣れなユーザの双方にとって効率よく使用することのできる精算機を提供することができる。
【００５２】
また、同じ店舗においても、顧客が精算機１０を使用する際のモードとして、複数の動作モードを設定することもできる。例えば、顧客が精算機１０を使用する際のモードとして、第１モード及び第２モードを設定し、第１モードにおける案内部材の移動量が第２モードにおける案内部材の移動量よりも大きいとする。例えば店舗の１日の営業時間内のうち、精算機１０の操作に不慣れな顧客が多い時間帯には精算機１０を第１モードで動作させ、精算機１０の操作に慣れた顧客が多い時間帯には精算機１０を第２モードで動作させることができる。また、ある店舗に精算機１０を新たに導入した場合、導入日から所定の期間（例えば１か月）は、顧客は精算機１０の操作に不慣れであると考えられるため精算機１０を第１モードで動作させ、所定の期間経過後は、顧客は精算機１０の操作に慣れると考えられるため精算機１０を第２モードで動作させることができる。
【００５３】
以上、図面を参照して本発明の実施形態について述べたが、これらは本発明の例示であり、上記以外の様々な構成を採用することもできる。
【符号の説明】
【００５４】
１０  精算機
１００  筐体
１０２  開口
１１０  案内部材
１２０  搬送路
１３０  収納庫
１４２  識別部
１４４  識別部
１５０  排出口
１６０  シャッタ
２１０  制御部
２２０  出力部
２３０  入力部
【図１】
2018081475.tif 000003
【図２】
2018081475.tif 000004
【図３】
2018081475.tif 000005
【図４】
2018081475.tif 000006
【図５】
2018081475.tif 000007
【図６】
2018081475.tif 000008
【図７】
2018081475.tif 000009
【図８】
2018081475.tif 000010
【図９】
2018081475.tif 000011
【図１０】
2018081475.tif 000012
【図１１】
2018081475.tif 000013
【図１２】
2018081475.tif 000014
【図１３】
2018081475.tif 000015
【図１４】
2018081475.tif 000016
【図１５】
2018081475.tif 000017
【図１６】
2018081475.tif 000018
【図１７】
2018081475.tif 000019
【図１８】
2018081475.tif 000020